(57)【要約】【課題】音響・映像・情報通信機器等と接続するためのケーブルの引き出し長さを調整して収納可能な防水ケースを提供する。【解決手段】スピーカ５１及び接続手段を備える本体２と、窓部４５が形成された蓋体４とを備え、前記接続手段が被収納機器７と接続するための接続端子１９及びケーブル１８を有し、前記蓋体４に前記窓部４５を覆う透光部材４６を装着し、前記蓋体４を閉じることで前記本体２と透光部材４６との間に形成される機器収納部８が水密となる防水ケース１であって、前記本体２の水密となる内部に、前記ケーブル１８を収納するケーブル収納部１６が形成され、前記ケーブル収納部１６から前記ケーブル１８を機器収納部８に引き出す引出孔３２が設けられると共に、前記ケーブル１８を前記ケーブル収納部１６外へ引き出す長さを調整する調整手段を設けたことで、ケーブル１８の長さを調整して収納することができる。【選択図】図６
2015116369.tif 000002
【特許請求の範囲】
【請求項１】
スピーカ及び接続手段を備える本体と、
中央に窓部が形成された蓋体とを備え、
前記接続手段が被収納機器と電気的に接続するための接続端子及びケーブルを有し、
前記蓋体に前記窓部を覆う透光部材が装着され、
前記蓋体を閉じることによって前記本体と透光部材との間に形成される機器収納部が水密となる防水ケースであって、
前記本体の水密となる機器収納部側の内部に、前記ケーブルを収納するケーブル収納部が形成され、
前記ケーブル収納部から前記ケーブルを前記機器収納部に引き出す引出孔が設けられると共に、前記ケーブル収納部外へ引き出す前記ケーブルの長さを調整する調整手段を設けたことを特徴とする防水ケース。
【請求項２】
前記調整手段が、前記ケーブルを複数の経路に這わせる溝であることを特徴とする請求項１に記載の防水ケース。
【請求項３】
前記ケーブル収納部内に電池収納部を設け、前記調整手段を前記電池収納部の外周部に設けたことを特徴とする請求項１又は２に記載の防水ケース。
【発明の詳細な説明】
【技術分野】
【０００１】
本発明は、風呂場や海など、水がかかる虞のある環境で携帯型音響機器・映像機器・情報通信機器等を収納し、スピーカ等として使用するための防水ケースに関する。
【背景技術】
【０００２】
この種の防水ケースとして、例えば特許文献１には、携帯型音響機器の出力端子に電気的な接続手段としてのケーブル及び接続端子を備えた防水ケースが開示されている。
【０００３】
また、近年においては、携帯型音楽プレーヤーの他、携帯電話、スマートフォン、タブレット端末など様々な大きさの携帯型音響・映像・情報通信機器等が流通しており、それぞれの機器におけるイヤホンジャック等の接続端子の位置は、機種ごとに様々である。そのため、音響・映像・情報通信機器等との接続手段であるケーブルは、防水ケース内の全ての位置に届くように、ある程度の長さが必要となる。
【先行技術文献】
【特許文献】
【０００４】
【特許文献１】特許第４４７１９５７号
【発明の概要】
【発明が解決しようとする課題】
【０００５】
しかしながら、上述した従来の防水ケースは、ケーブルの長さを調整して収納することができず、音響・映像機器の大きさ等によってケーブルの余剰ができた場合には、ケーブルの収納位置が定まらず扱い難いという問題点があった。
【０００６】
そこで、本発明は上記問題点に鑑み、ケーブルの長さを調整する調整機構と、長さを調整したケーブルを収納する収納機構を備えた防水ケースを提供することを目的とする。
【課題を解決するための手段】
【０００７】
本発明の請求項１に記載の防水ケースは、スピーカ及び接続手段を備える本体と、中央に窓部が形成された蓋体とを備え、前記接続手段が被収納機器と電気的に接続するための接続端子及びケーブルを有し、前記蓋体に前記窓部を覆う透光部材が装着され、前記蓋体を閉じることによって前記本体と透光部材との間に形成される機器収納部が水密となる防水ケースであって、前記本体の水密となる機器収納部側の内部に、前記ケーブルを収納するケーブル収納部が形成され、前記ケーブル収納部から前記ケーブルを前記機器収納部に引き出す引出孔が設けられると共に、前記ケーブル収納部外へ引き出す前記ケーブルの長さを調整する調整手段を設けたことを特徴とするものである。
【０００８】
また、本発明の請求項２に記載の防水ケースは、前記調整手段が、前記ケーブルを複数の経路に這わせる溝であることを特徴とするものである。
【０００９】
更に、本発明の請求項３に記載の防水ケースは、前記ケーブル収納部内に電池収納部を設け、前記調整手段を前記電池収納部の外周部に設けたことを特徴とするものである。
【発明の効果】
【００１０】
本発明の請求項１に記載の防水ケースは、音響・映像・情報通信機器等の被収納機器と電気的に接続するためのケーブルのケーブル収納部外への引き出し長さを調整可能とすると共に、ケーブルの余剰部分を収納可能とする。
【００１１】
なお、前記調整手段を、前記ケーブルを複数の経路に這わせる溝とすることで、特別な部品を追加することなく、ケーブルのケーブル収納部外への引き出し長さを調整すると共に、ケーブルの余剰部分を収納可能とする。
【００１２】
また、前記ケーブル収納部内に電池収納部を設け、前記調整手段を前記電池収納部の外周部に設けることで、スペースを有効利用してケーブルを収納するため、設計・部品構成を簡略化することができる。
【図面の簡単な説明】
【００１３】
【図１】本発明の実施例１を示す防水ケースの正面図である。
【図２】同、背面側のやや斜め方向から見た斜視図である。
【図３】同、右側面図である。
【図４】同、縦置き状態の右側面図である。
【図５】同、蓋体を開いた状態の正面図である。
【図６】同、蓋体及び蓋を開いた状態の正面図である。
【図７】同、ケーブルを最も長く引き出した状態のケーブル収納部の正面図である。
【図８】同、ケーブルの収納例を示すケーブル収納部の正面図である。
【図９】同、ケーブルの収納例を示すケーブル収納部の正面図である。
【図１０】同、ケーブルの収納例を示すケーブル収納部の正面図である。
【図１１】同、ケーブルを最も短く引き出した状態のケーブル収納部の正面図である。
【図１２】本発明の実施例２を示す防水ケースの蓋体を開いた状態の正面図である。
【図１３】本発明の実施例３を示す防水ケースの蓋体を開いた状態の正面図である。
【図１４】本発明の実施例４を示す防水ケースの蓋体を開いた状態の正面図である。
【発明を実施するための形態】
【００１４】
以下、添付図面を参照しつつ、本発明における防水ケースの好ましい実施例について説明する。
【実施例１】
【００１５】
図１〜１１は、本発明の防水ケース１の実施例１を示している。この防水ケース１は、本体２と、この本体２の下部に２箇所のヒンジ部３を介して開閉可能に接続された蓋体４により構成されている。
【００１６】
本体２は、背面側の背面カバー５と正面側の仕切壁６とで構成されている。前記背面カバー５は、上部が浅底で下部がより深底の略矩形の皿形状であり、前記仕切壁６は、略矩形の板状であり、両者は合成樹脂で形成されている。前記背面カバー５と仕切壁６とを組み合わせた前記本体２の内部下側には、増幅器５０、スピーカ５１、及び後述する電池収納部２０等が配設されている。なお、前記増幅器５０、スピーカ５１及び前記電池収納部２０に収納される図示しない電池等が前記本体２の内部下側に配設されていることにより、前記防水ケース１の重心が下方に位置し、前記防水ケース１を安定して載置することができる。
【００１７】
前記本体２の背面には、左右にそれぞれ１箇所と上部に２箇所の係止部材９が設けられている。この係止部材９は、前記蓋体４を閉じた状態で、この蓋体４に形成された係止受部１０に係止し、前記蓋体４に取り付けられた後述する透光部材４６と前記仕切壁６との間に、防水領域を形成する。
【００１８】
また、前記本体２の背面上部には、背面に略面一に収納可能な把持部１１が配設されている。さらに、前記本体２の背面視中段部左側には、前記防水ケース１の正面視右側を下にして縦置き可能とする支持部１２が配設されている。この支持部１２も、背面に略面一に収納可能となっている。
【００１９】
また、前記本体２の背面下部中央には、短円筒状の音量調節摘み１３が配設されており、この音量調節摘み１３を回転操作することにより、前記スピーカ５１が発する音量を調節することができる。また、前記音量調節摘み１３は前記防水ケース１の電源スイッチとしても機能するものであり、音量調節摘み１３を左方向に停止するまで回転させた状態が電源オフの状態であり、そこから右方向へ一定量回転させると電源がオンになり、さらに右方向へ回転させると音量が増加する。なお、電源がオンの状態では、前記本体２の内部に配設された電源ランプ１４が点灯し、電源オフの状態のときは消灯する。
【００２０】
また、前記音量調節摘み１３の左右には、前記スピーカ５１が発する音を前記本体２の内部から外部へ放出するための音放出部（図示せず）が形成されている。この音放出部は、左右別個に形成された音響反射板１５により開閉される。この音響反射板１５は横方向に摺動可能であり、前記防水ケース１を使用しない時は内側に摺動させて音放出部を覆っておく。一方、前記音響反射板１５は、前記防水ケース１を使用する際に、外側に摺動させて前記音放出部を開くと共に、この音放出部から放出された音を反射して、前記防水ケース１の前方に誘導する機能を有する。
【００２１】
前記仕切壁６の下側部には、前記本体２の内部側へ凹であって正面視略矩形のケーブル収納部１６が形成されている。このケーブル収納部１６内の上部中央には、貫通孔１７が形成されており、この貫通孔１７から前記増幅器５０等と被収納機器７とを電気的に接続するケーブル１８が前記ケーブル収納部１６内に引き入れられている。
【００２２】
前記ケーブル１８の基端（図示せず）は、前記本体２の内部で前記増幅器５０等に接続されており、前記ケーブル１８の先端には、前記被収納機器７と接続するための接続端子１９が取り付けられている。また、前記防水ケース１に収納される前記被収納機器７の大きさや接続端子（図示せず）の位置が機種により異なるため、前記ケーブル１８は、機器収納部８内の全ての位置に届く長さとなっている。なお、前記接続端子１９は、フォーン端子の他に、ＵＳＢ端子等であっても良い。
【００２３】
前記ケーブル収納部１６内の貫通孔１７の左右には、前記防水ケース１の電源である電池（図示せず）を収納する矩形の電池収納部２０が、それぞれ形成されている。なお、前記電池は、前記被収納機器７の外部電源として使用してもよい。この電池収納部２０の周囲には、前記ケーブル１８を収納する複数の収納溝２１が形成されている。この収納溝２１は、断面がＵ字状であって、幅が前記ケーブル１８の径よりもやや狭く、このケーブル１８を軽く圧入して収納できるように形成されている。
【００２４】
また、正面視右側の電池収納部２０の右上方と正面視左側の電池収納部２０の左上方には、前記収納溝２１よりも深底の接続端子収納部２２がそれぞれ形成されている。なお、本実施例においては、前記接続端子１９がＬ型であるため、前記接続端子収納部２２が幅広に形成されているが、ストレート型の接続端子１９を用いた場合には、前記接続端子収納部２２をストレート型の接続端子１９の形状に合せた細長の形状としてもよい。
【００２５】
前記ケーブル１８を収納する前記収納溝２１は、横方向に形成された上溝２３、中溝２４、下溝２５と縦方向に形成された左溝２６、中左溝２７、中右溝２８、右溝２９から構成されている。前記上溝２３は前記ケーブル収納部１６の上部に形成され、前記中溝２４は前記上溝２３と前記電池収納部２０との間に形成され、前記下溝２５は前記電池収納部２０の下側に形成されている。前記左溝２６は左側の前記電池収納部２０の左側に形成され、前記中左溝２７は左右の前記電池収納部２０の間に形成された略矩形の平面部３０と左側の前記電池収納部２０の間に形成され、前記中右溝２８は前記平面部３０と右側の前記電池収納部２０の間に形成され、前記右溝２９は右側の前記電池収納部２０の右側に形成されている。前記上溝２３と中溝２４の間は薄壁３１で仕切られており、前記中左溝２７の上方延長部５２と前記中右溝の上方延長部５３には薄壁３１が形成されておらず、前記ケーブル１８を這わせることが可能である。なお、前記各収納溝２１の折れ曲がる角は全てＲ形状に形成されており、収納した前記ケーブル１８に負荷がかかり難くなっている。
【００２６】
図６は、前記防水ケース１の不使用時における前記ケーブル１８の収納状態を示している。このケーブル１８は、前記貫通孔１７から前記中溝２４を左方向へ進み、前記左溝２６を下方に進み、前記下溝２５を右方向に進み、前記右溝２９を上方へ進んで、前記接続端子１９が右側の前記接続端子収納部２２に収納されている。なお、前記接続端子１９を左側の接続端子収納部２２に収納するように、左右対称に前記ケーブル１８を収納してもよい。
【００２７】
図７は、前記ケーブル１８が最も長く引き出されている収納状態を示している。このケーブル１８は前記貫通孔１７から前記中溝２４を右方向に進んで、右側の引出孔３２から引き出される。なお、前記ケーブル１８を左側の引出孔３２から引き出すように、左右対称に前記ケーブル１８を収納してもよい。
【００２８】
図１１は、ケーブル１８が最も短く引き出されている収納状態を示している。前記ケーブル１８は、前記貫通孔１７から前記中溝２４を左方向に進み、左側の前記接続端子収納部２２で折り返して前記上溝２３を右方向に進んで、右側の前記引出孔３２から引き出される。このように、前記収納溝２１だけでなく前記接続端子収納部２２も前記ケーブル１８の収納に利用することができる。なお、前記ケーブル１８を左側の前記引出孔３２から引き出すように左右対称に前記ケーブル１８を収納してもよい。
【００２９】
図８から図１０は、その他の前記ケーブル１８の収納状態を示している。前記ケーブル１８の収納パターンは、この他にも複数あり、前記ケーブル１８の引き出し長さに応じて使用者が任意の収納パターンを選択可能である。
【００３０】
前記ケーブル収納部１６は、取り外し可能な板状の蓋３３によって開閉される。この蓋３３を閉めた状態では、この蓋３３の表面３４と前記仕切壁６の上側面３５とが面一となり、前記被収納機器７を載置する載置面３６を構成する。なお、前記蓋３３は、前記仕切壁６と同様の合成樹脂で成形されている。
【００３１】
前記蓋３３の左右両端には係合部３７が形成されており、前記蓋３３を閉めると前記係合部３７が前記ケーブル収納部１６内の左右両端に形成された係合受部３８と係合し、前記蓋３３が前記仕切壁６に固定されて、前記ケーブル収納部１６が前記蓋３３によって閉じられる。なお、前記蓋３３を外す場合は、左右の係合部３７に形成された係合解除部３９を左右外側から押圧することで係合が解除され、前記蓋３３を上方に引き上げることにより外すことができる。
【００３２】
また、前記蓋３３の上側両端には、前記ケーブル１８を引き出すための前記引出孔３２がそれぞれ形成されている。この引出孔３２は、前記蓋３３の側端部から切り欠いた細孔４０と、その内側に連接して形成された丸孔４１から構成されている。前記ケーブル１８は、前記細孔４０をスライドさせながら前記丸孔４１まで移動されると、前記ケーブル１８と接続端子１９が前記ケーブル収納部１６から引き出された状態となる。前記細孔４０の幅は、前記ケーブル１８の径よりも僅かに狭く形成されている。これによって、前記丸孔４１まで移動させた前記ケーブル１８が前記細孔４０内に簡単に移動しないようになっている。また、前記丸孔４１は、前記接続端子１９よりも小さく形成されている。これによって、引き出した前記接続端子１９が前記ケーブル収納部１６内に引き込まれるのを防止している。
【００３３】
前記ケーブル収納部１６の下端中央部には、前記本体２の内部に配設された前記電源ランプ１４の点灯を確認するための、小さな矩形の電源ランプ確認孔４２が形成されている。また、前記蓋３３を閉めた状態でも前記電源ランプ１４を視認できるように、前記蓋３３の電源ランプ１４に対向する位置に、小さな矩形の切欠き４３が形成されている。
【００３４】
前記蓋体４の枠体４４は、略矩形に開口した窓部４５を有している。そして、前記枠体４４には、前記窓部４５を水密に塞ぐように、シート状の透光部材４６が着脱可能に取り付けられている。なお、前記枠体４４は、耐水性、耐熱性、軽量化を考慮して、合成樹脂で形成されている。
【００３５】
前記枠体４４の内面の全周には、前記窓部４５に沿うように、嵌合溝４７が形成されている。一方、前記透光部材４６の前面の外周部には、レール状のリブ４８が形成されている。このリブ４８を前記嵌合溝４７に嵌合させることにより、前記窓部４５が前記透光部材４６によって水密に塞がれる。
【００３６】
前記枠体４４の外面には、前記係止部材９に対応するように、左右にそれぞれ１箇所と上部に２箇所の前記係止受部１０が形成されている。そして、前記蓋体４を閉じて前記係止部材９を前記係止受部１０に係止すると、前記透光部材４６の裏面の外周部が前記背面カバー５に密着する。これによって、前記本体２と透光部材４６との間に防水領域が形成される。
【００３７】
前記窓部４５は、前記被収納機器７を前記防水ケース１に収納した際に、前記被収納機器７の操作部や画面の全体が前記透光部材４６を通して見ることができるように、可能な限り大きく形成されている、このため、前記窓部４５は、正面視において前記蓋体４の大部分を占めている。
【００３８】
前記透光部材４６は、透光性、防水性、可撓性及び適度な弾性を有するシリコンゴム等の材質で形成されており、前記枠体４４に密着嵌合される。また、前記透光部材４６は、適度な弾性を有すると共に、前記透光部材４６及び載置面３６が適度な耐滑性を有するため、前記防水ケース１内に収納した前記被収納機器７を前記仕切壁６に押し付けて支持し、前記防水ケース１内で前記被収納機器７が遊動することを抑制する。更に、前記透光部材４６の前記被収納機器７側の面に、細かな凹凸加工を施すことで、前記透光部材４６と被収納機器７との間に気泡が生ずるのを抑制することができる。
【００３９】
また、前述した通り、前記透光部材４６は、前記枠体４４に対して着脱可能に取り付けられている。このため、前記透光部材４６は、汚れた場合には前記枠体４４から取り外して洗浄可能であり、破損した場合には新品との交換が可能である。
【００４０】
ここで、前記防水ケース１の使用方法を説明する。まず、水などがかからない場所で前記係止部材９の係止を解除して前記蓋体４を開いて前記蓋３３を外し、前記電池収納部２０に図示しない単三形乾電池を４本入れる。前記防水ケース１に収納する前記被収納機器７の大きさや接続端子の位置に対応するように、前記ケーブル１８の長さを調整して、このケーブル１８を前記収納溝２１に軽く圧入し、前記ケーブル１８を前記引出孔３２から引き出す。前記蓋３３を閉めて接続端子１９を前記被収納機器７の接続端子に接続し、前記被収納機器７を前記載置面３６に載置し、前記蓋体４を閉めて前記係止部材９を前記係止受部１０に係止する。この状態で、前記被収納機器７は防水状態となるので、前記防水ケース１を風呂等へ持ち込むことが可能となる。そして、任意の使用場所に前記防水ケース１を載置して、前記音響反射板１５を摺動させて音放出部を開き、前記被収納機器７の電源を入れて音楽や映像等を再生すると共に、前記防水ケース１の音量調節摘み１３を操作して電源を入れ、音量を調節する。
【００４１】
このように、本実施例では、増幅器５０、スピーカ５１、及び接続手段を備える本体２と、中央に窓部４５が形成された蓋体４とを備え、接続手段が被収納機器７と電気的に接続するための接続端子１９及びケーブル１８を有し、前記蓋体４に前記窓部４５を覆う透光部材４６が装着され、前記蓋体４を閉じることで前記本体２と透光部材４６との間に形成される機器収納部８が水密となる防水ケース１であって、前記本体２の水密となる内部に、前記ケーブル１８を収納するケーブル収納部１６が形成され、このケーブル収納部１６から前記ケーブル１８を前記機器収納部８に引き出す引出孔１７が設けられると共に、前記ケーブル１８を前記ケーブル収納部１６外へ引き出す長さを調整する調整手段（収納溝２１）を設けたことにより、被収納機器７に応じて前記ケーブル１８を前記機器収納部８に引き出す長さを調整すると共に、前記ケーブル１８を前記ケーブル収納部１６に収納することができる。
【００４２】
また、前記調整手段を、前記ケーブル１８を複数の経路に這わせる収納溝２１とすることにより、使用者が様々な収納パターンを任意に選択することができる。また、前記調整手段として前記収納溝２１を形成するだけでよく、特別な部品を追加する必要もないため、製造コストを低廉に抑えることができる。
【００４３】
更に、前記ケーブル収納部１６内に電池収納部２０を設け、前記調整手段を前記電池収納部２０の外周部に設けたことにより、前記防水ケース１の構成部品のスペースを有効に利用できる。そのため、設計・部品構成が簡略化される。
【実施例２】
【００４４】
図１２は、本発明の実施例２を示し、上記実施例１と同一部分に同一符号を付し、その詳細な説明を省略して詳述する。本実施例は、平面部３０の中央縦方向にケーブル１８の収納溝である中央溝４９を形成している。
【００４５】
このような実施例では、前記ケーブル１８の収納パターンを増やすことができ、また、前記ケーブル１８の引き出し長さを細かく調整することができ、上記実施例１と同様の作用・効果を奏する。
【実施例３】
【００４６】
図１３は、本発明の実施例３を示し、上記実施例１と同一部分に同一符号を付し、その詳細な説明を省略して詳述する。本実施例は、貫通孔１７をケーブル収納部１６の左上部に設けたものである。本実施例において、接続端子収納部２２は右側だけに形成されている。
【００４７】
このような実施例では、ケーブル１８を最も長く引き出して使用する場合には、左側の引出孔３２から前記ケーブル１８を引き出すだけでよく、このケーブル１８を収納溝２１に収納する手間が省ける。一方、前記ケーブル１８を短く引き出す場合に、このケーブル１８を上溝２３又は中溝２４に右方向に収納していき、右側の引出孔３２から引き出すことにより、前記ケーブル１８を折り曲げることなく収納でき、このケーブル１８への負担が少なく、ケーブル１８の損傷などが起こり難い。
【００４８】
また、前記貫通孔１７は前記ケーブル収納部１６の右側上部に設けてもよく、前記ケーブル１８の収納パターンは複数あるため、本実施例でも上記実施例１と同様の作用・効果を奏する。
【実施例４】
【００４９】
図１４は、本発明の実施例４を示し、上記実施例１と同一部分に同一符号を付し、その詳細な説明を省略して詳述する。本実施例は、ケーブル１８をケーブル収納部１６から引き出す長さを調整する調整・収納手段として、前記ケーブル１８を巻き付ける巻き付け部５４を設けたものである。前記巻き付け部５４は円柱状で、左右の電池収納部２０の間に２本横並びに配設されている。なお、前記巻き付け部５４は、縦並びや斜め並びでもよく、１本又は３本以上設けてもよい。
【００５０】
また、左右の前記電池収納部２０の間であって薄壁３１の下側には、略矩形の凹部５５が形成されており、前記巻き付け部５４は前記凹部５５の底部から収納溝２１の底面の高さまで立設されている。前記巻き付け部５４の高さは、蓋３３を閉めた状態で、前記蓋３３に当接する高さとしてもよいが、前記収納溝２１の底面と同じ高さとすることで、例えば、中溝２４と下溝２５を使用して、前記凹部５５上を斜めに横断するように前記ケーブル１８を収納する場合に、前記巻き付け部５４が前記ケーブル１８の通り道を塞ぐことがないため、前記凹部５５上を前記ケーブル１８の通り道として使用し易くなる。
【００５１】
前記凹部５５は、接続端子収納部２２よりも深く形成されており、前記巻き付け部５４は、前記ケーブル１８を深さ方向に複数回巻き付け可能となっている。なお、前記ケーブル１８は、前記巻き付け部５４の水平方向に複数回巻き付けることも可能である。
【００５２】
また、前記凹部５５の上側中央の底部には貫通孔１７が形成されている。前記巻き付け部５４と前記貫通孔１７は共に前記凹部５５の底面に形成されているため、前記ケーブル１８を前記巻き付け部５４の下方から上方へ向かって巻き付け易くなっている。
【００５３】
このように、本実施例では、前記収納溝２１に加えて、前記巻き付け部５４を設けたことにより、前記ケーブル１８を前記ケーブル収納部１６から引き出す長さをより細かく調整することができ、前記ケーブル１８の収納のパターンを増やすことができる。
【００５４】
なお、本発明は、上記各実施例に限定されるものではなく、本発明の要旨の範囲内で種々の変形実施が可能である。例えば、ケーブル１８の引き出す長さの調整手段を巻き取り式としてもよい。また、接続手段の接続端子は、フォーン端子やＵＳＢ端子以外にも、被収納機器専用の接続端子であっても良く、また、今後策定される規格に基づく接続端子であっても良い。
【符号の説明】
【００５５】
１  防水ケース
２  本体
４  蓋体
７  被収納機器
８  機器収納部
１６  ケーブル収納部
１８  ケーブル（接続手段）
１９  接続端子（接続手段）
２０  電池収納部
２１  収納溝（調整手段、溝）
３２  引出孔
４５  窓部
４６  透光部材
５１  スピーカ
【図１】
2015116369.tif 000003
【図２】
2015116369.tif 000004
【図３】
2015116369.tif 000005
【図４】
2015116369.tif 000006
【図５】
2015116369.tif 000007
【図６】
2015116369.tif 000008
【図７】
2015116369.tif 000009
【図８】
2015116369.tif 000010
【図９】
2015116369.tif 000011
【図１０】
2015116369.tif 000012
【図１１】
2015116369.tif 000013
【図１２】
2015116369.tif 000014
【図１３】
2015116369.tif 000015
【図１４】
2015116369.tif 000016